(57)【要約】【課題】  専用の動力源を設けることなく、沈殿池の側壁と当該側壁より内側へ突出する柱との間及び／又はスカムスキマの両端部でのスカムの滞留を防止し得るスカム寄せ装置及びそれを有する汚泥掻寄機を提供する。【解決手段】  スカム寄せ装置１０，１０’は、沈殿池８の水面付近に浮遊するスカムを排出するスカムスキマ６の上流側であって沈殿池の側壁８ｃより内側へと突出する柱１７ａの近傍及び／又はスカムスキマ６の両端部近傍に配される可倒式プレート１５又はフロート３１と、スカムスキマ６の動力を可倒式プレート１５又はフロート３１へ伝達する動力伝達部材１６，１６’と、を備える。スカム寄せ装置１０，１０’は、沈殿池側壁８ｃと柱１７ａの間及び／又はスカムスキマ６の両端部近傍に滞留するスカムを沈殿池８の内側へと掻き寄せる。【選択図】  図３
2017077507.tif 000002
【特許請求の範囲】
【請求項１】
少なくとも、沈殿池の水面付近に浮遊するスカムを排出するスカムスキマの上流側であって前記沈殿池の側壁より内側へと突出する柱の近傍及び／又は前記スカムスキマの両端部近傍に配される可倒式プレート又はフロートと、
前記スカムスキマの動力を前記可倒式プレート又はフロートへ伝達する動力伝達部材と、を備え、
前記側壁と前記柱の間及び／又は前記スカムスキマの両端部近傍に滞留するスカムを前記沈殿池の内側へと掻き寄せることを特徴とするスカム寄せ装置。
【請求項２】
請求項１に記載のスカム寄せ装置において、
前記スカムスキマの下流側であって、前記沈殿池の側壁より内側へと突出する柱の近傍に配される可倒式プレート又はフロートを備えることを特徴とするスカム寄せ装置。
【請求項３】
請求項１又は請求項２に記載のスカム寄せ装置において、
前記可倒式プレート又はフロートは、前記スカムスキマと連動して動作することを特徴とするスカム寄せ装置。
【請求項４】
請求項３に記載のスカム寄せ装置において、
前記動力伝達部材は、相互に直交するよう配される第１滑車及び第２滑車と、前記可倒式プレートに一端が接続され、他端が前記第１滑車及び第２滑車を介して、前記スカムスキマに接続される索状部材を備えることを特徴とするスカム寄せ装置。
【請求項５】
請求項４に記載のスカム寄せ装置において、
前記第１滑車は前記沈殿池の側壁と直交するよう配され、前記第２滑車は前記沈殿池の側壁と平行となるよう配されることを特徴とするスカム寄せ装置。
【請求項６】
請求項３に記載のスカム寄せ装置において、
前記動力伝達部材は、前記可倒式プレートに一端が接続され他端が前記スカムスキマに接続されるリンク機構を有し、
前記リンク機構は、前記スカムスキマの回動による動力を前記可倒式プレートに伝達することを特徴とするスカム寄せ装置。
【請求項７】
請求項５に記載のスカム寄せ装置において、
前記動力伝達部材と反対側の前記可倒式プレートの面に一端が接続される第２の索状部材に吊り下げられる錘を備えることを特徴とするスカム寄せ装置。
【請求項８】
請求項７に記載のスカム寄せ装置において、
前記スカムスキマは、前記沈殿池の幅方向に延在する円筒形状を成し、前記スカムを導入するための吸入口を有し、
前記スカムスキマの吸入口の一部が、前記沈殿池内の水面よりも下方に位置するよう正転すると、
前記スカムスキマの回動による動力が前記動力伝達部材を介して前記可倒式プレートに伝達され、
前記可倒式プレートは、下方に位置する回転軸を回動中心として上端部が前記沈殿池の内側へと向かい回動することを特徴とするスカム寄せ装置。
【請求項９】
請求項７に記載のスカム寄せ装置において、
前記スカムスキマは、前記沈殿池の幅方向に延在する円筒形状を成し、前記スカムを導入するための吸入口を有し、
前記スカムスキマの吸入口の全ての領域が、前記沈殿池内の水面よりも上方に位置するよう復帰すると、
前記可倒式プレートは、前記第２の索状部材に吊り下げられる錘の重力沈降により、下方に位置する回転軸を回動中心として上端部が前記沈殿池の側壁に当接するよう回動することを特徴とするスカム寄せ装置。
【請求項１０】
請求項８又は請求項９に記載のスカム寄せ装置において、
前記可倒式プレートの上端部は、前記沈殿池の内側へ向かい回動したとき、又は、前記沈殿池の側壁に当接するよう回動したとき、前記沈殿池内の水面より所定の高さ上方に位置することを特徴とするスカム寄せ装置。
【請求項１１】
請求項３に記載のスカム寄せ装置において、
前記動力伝達部材は、一端が前記スカムスキマに接続されるアームと、前記アームのスカムスキマとは反対側の端部に一端が接続されると共に他端が前記フロートに接続される索状部材を備えることを特徴とするスカム寄せ装置。
【請求項１２】
請求項１１に記載のスカム寄せ装置において、
前記フロートの鉛直方向への移動をガイドするフロートガイドを備えることを特徴とするスカム寄せ装置。
【請求項１３】
請求項１２に記載のスカム寄せ装置において、
前記フロートガイドは、鉛直方向に相互に平行に配される複数のロッドを備え、前記複数のロッドは前記フロートを貫通することを特徴とするスカム寄せ装置。
【請求項１４】
請求項１３に記載のスカム寄せ装置において、
前記スカムスキマは、前記沈殿池の幅方向に延在する円筒形状を成し、前記スカムを導入するための吸入口を有し、
前記スカムスキマの吸入口の一部が、前記沈殿池内の水面よりも下方に位置するよう正転すると、
前記スカムスキマの回動による動力が前記動力伝達部材を介して前記フロートに伝達され、
前記フロートは、前記複数のロッドに沿って前記沈殿池の被処理水中へ沈降することを特徴とするスカム寄せ装置。
【請求項１５】
沈殿池の底面に沈殿する汚泥を汚泥ピットへ掻き寄せる汚泥掻寄機であって、
水面軌道を移動するスカムを、前記沈殿池外へと排出するスカムスキマと、
少なくとも、前記スカムスキマの上流側であって前記沈殿池の側壁より内側へと突出する柱の近傍及び／又は前記スカムスキマの両端部近傍に配される可倒式プレート又はフロートと、前記スカムスキマの動力を前記可倒式プレート又はフロートへ伝達する動力伝達部材を有するスカム寄せ装置と、を備え、
前記側壁と前記柱の間及び／又は前記スカムスキマの両端部近傍に滞留するスカムを前記沈殿池の内側へと掻き寄せることを特徴とするスカム寄せ装置を有する汚泥掻寄機。
【請求項１６】
請求項１５に記載のスカム寄せ装置を有する汚泥掻寄機において、
前記スカム寄せ装置は、前記スカムスキマの下流側であって、前記沈殿池の側壁より内側へと突出する柱の近傍に配される可倒式プレート又はフロートを備えることを特徴とするスカム寄せ装置を有する汚泥掻寄機。
【請求項１７】
請求項１５又は請求項１６に記載のスカム寄せ装置を有する汚泥掻寄機において、
前記可倒式プレート又はフロートは、前記スカムスキマと連動して動作することを特徴とするスカム寄せ装置を有する汚泥掻寄機。
【請求項１８】
請求項１７に記載のスカム寄せ装置を有する汚泥掻寄機において、
前記動力伝達部材は、相互に直交するよう配される第１滑車及び第２滑車と、前記可倒式プレートに一端が接続され、他端が前記第１滑車及び第２滑車を介して、前記スカムスキマに接続される索状部材を備えることを特徴とするスカム寄せ装置を有する汚泥掻寄機。
【請求項１９】
請求項１８に記載のスカム寄せ装置を有する汚泥掻寄機において、
前記第１滑車は前記沈殿池の側壁と直交するよう配され、前記第２滑車は前記沈殿池の側壁と平行となるよう配されることを特徴とするスカム寄せ装置を有する汚泥掻寄機。
【請求項２０】
請求項１７に記載のスカム寄せ装置を有する汚泥掻寄機において、
前記動力伝達部材は、前記可倒式プレートに一端が接続され他端が前記スカムスキマに接続されるリンク機構を有し、
前記リンク機構は、前記スカムスキマの回動による動力を前記可倒式プレートに伝達することを特徴とするスカム寄せ装置を有する汚泥掻寄機。
【請求項２１】
請求項１９に記載のスカム寄せ装置を有する汚泥掻寄機において、
前記スカム寄せ装置は、前記動力伝達部材と反対側の前記可倒式プレートの面に一端が接続される第２の索状部材に吊り下げられる錘を備えることを特徴とするスカム寄せ装置を有する汚泥掻寄機。
【請求項２２】
請求項２１に記載のスカム寄せ装置を有する汚泥掻寄機において、
前記スカムスキマは、前記沈殿池の幅方向に延在する円筒形状を成し、前記スカムを導入するための吸入口を有し、
前記スカムスキマの吸入口の一部が、前記沈殿池内の水面よりも下方に位置するよう正転すると、
前記スカムスキマの回動による動力が前記動力伝達部材を介して前記可倒式プレートに伝達され、
前記可倒式プレートは、下方に位置する回転軸を回動中心として上端部が前記沈殿池の内側へと向かい回動することを特徴とするスカム寄せ装置を有する汚泥掻寄機。
【請求項２３】
請求項２１に記載のスカム寄せ装置を有する汚泥掻寄機において、
前記スカムスキマは、前記沈殿池の幅方向に延在する円筒形状を成し、前記スカムを導入するための吸入口を有し、
前記スカムスキマの吸入口の全ての領域が、前記沈殿池内の水面よりも上方に位置するよう復帰すると、
前記可倒式プレートは、前記第２の索状部材に吊り下げられる錘の重力沈降により、下方に位置する回転軸を回動中心として上端部が前記沈殿池の側壁に当接するよう回動することを特徴とするスカム寄せ装置を有する汚泥掻寄機。
【請求項２４】
請求項２２又は請求項２３に記載のスカム寄せ装置を有する汚泥掻寄機において、
前記可倒式プレートの上端部は、前記沈殿池の内側へ向かい回動したとき、又は、前記沈殿池の側壁に当接するよう回動したとき、前記沈殿池内の水面より所定の高さ上方に位置することを特徴とするスカム寄せ装置を有する汚泥掻寄機。
【請求項２５】
請求項１７に記載のスカム寄せ装置を有する汚泥掻寄機において、
前記動力伝達部材は、一端が前記スカムスキマに接続されるアームと、前記アームのスカムスキマとは反対側の端部に一端が接続されると共に他端が前記フロートに接続される索状部材を備えることを特徴とするスカム寄せ装置を有する汚泥掻寄機。
【請求項２６】
請求項２５に記載のスカム寄せ装置を有する汚泥掻寄機において、
前記スカム寄せ装置は、前記フロートの鉛直方向への移動をガイドするフロートガイドを備えることを特徴とするスカム寄せ装置を有する汚泥掻寄機。
【請求項２７】
請求項２６に記載のスカム寄せ装置を有する汚泥掻寄機において、
前記フロートガイドは、鉛直方向に相互に平行に配される複数のロッドを備え、前記複数のロッドは前記フロートを貫通することを特徴とするスカム寄せ装置を有する汚泥掻寄機。
【請求項２８】
請求項２７に記載のスカム寄せ装置を有する汚泥掻寄機において、
前記スカムスキマは、前記沈殿池の幅方向に延在する円筒形状を成し、前記スカムを導入するための吸入口を有し、
前記スカムスキマの吸入口の一部が、前記沈殿池内の水面よりも下方に位置するよう正転すると、
前記スカムスキマの回動による動力が前記動力伝達部材を介して前記フロートに伝達され、
前記フロートは、前記複数のロッドに沿って前記沈殿池の被処理水中へ沈降することを特徴とするスカム寄せ装置を有する汚泥掻寄機。
【発明の詳細な説明】
【技術分野】
【０００１】
本発明は、下水処理施設或いは上水処理施設に備えられる沈殿池で使用される、汚泥掻寄機に係り、特に、沈殿池内でのスカムの滞留を防止するためのスカム寄せ装置及びそれを有する汚泥掻寄機に関する。
【背景技術】
【０００２】
下水又は上水の処理において、沈殿池内に導入される原水に含まれる砂等の無機物や有機物等の不純物を除去するため、沈殿池内に汚泥掻寄機が設置されている。この汚泥掻寄機において、戻り側フライトにてスカムを掻き寄せることができず、沈殿池側壁の内側に沿った水面にスカムが多く滞留し、処理水質の悪化、腐敗による悪臭、害虫の発生等が問題とされている。このような問題を解決するものとして特許文献１に記載される技術が提案されている。  
特許文献１には、フライト端部と沈殿池側壁との間で、水面近傍に沈殿池の長手方向に沿ってスカムガイドを配し、スカムを戻り側フライトの範囲内へ導く構成が記載されている。スカムガイドは、沈殿池側壁からフライト端部側へと傾斜する下面を有し、沈殿池側壁に沿ってスカムスキマの近くまで延在する。これにより沈殿池側壁近傍で発生したスカムは、スカムガイド下面の傾斜面に沿って上昇し、戻り側フライトによりスカムスキマへと掻き寄せられる。
【０００３】
また、パイプ状のスカムスキマに依らず、沈殿池の水面付近に浮遊するスカムを効率よく収集する技術として、特許文献２が提案されている。特許文献２には、スカムを含む被処理水（原水）の水面下部分にスカム吸込口を有するスカム収集槽と、沈殿池の両側壁の上方に長手方向に沿って複数配されるスプレーノズルを有し、圧力水ポンプにより送水管を介してスプレーノズルより圧力水を噴出してスカムを上流側及び下流側からスカム吸込口へ移送する構成が記載されている。また、特許文献２では、スカム収集槽を水路方向（沈殿池の長手方向）に２分するよう沈殿池の幅方向ほぼ全体に亘り設けられ、スカム収集槽の上流側と下流側とを連通する切欠部を有するスカム遮蔽板を備え、スカム収集槽に収集されたスカムを、吸引ポンプを駆動しスカム貯留槽へ排出する。
【先行技術文献】
【特許文献】
【０００４】
【特許文献１】特開平８−２６７０５９号公報
【特許文献２】特開平９−１５０１４７号公報
【発明の概要】
【発明が解決しようとする課題】
【０００５】
多くの沈殿池では、沈殿池の躯体強度を補強するため、沈殿池側壁より内側へと突出する柱を、沈殿池の長手方向に沿って所定の間隔にて複数設置されている。これは、下水処理施設或いは上水処理施設では、通常、複数の沈殿池が相互にその側壁同士が隣接し二次元状に配置されており、場合によっては、空の沈殿池と被処理水（原水）で満たされた（例えば、数トンの水量）沈殿池が隣接することになる。このような状況下では、上記空の沈殿池の側壁には多大な荷重が付加されることになるため、補強部材として柱が必須となる。  
しかしながら、特許文献１では、スカムガイド自体は動作しないため、スカムガイド側面へのスカム固着が生じ得る。スカムガイド側面に固着したスカムは、維持管理者等の人手により除去せねばならず、作業負荷の増大を招きかねない。  
また、沈殿池側壁より内側へと突出する柱と側壁との間の水面、更には、スカムスキマの両端部には、処理水質の悪化或いは腐敗による悪臭等の要因となるスカムの滞留が生じ得る。この滞留するスカムを、下水処理施設或いは上水処理施設の維持管理者が手作業で除去する必要があり、維持管理者への負担増或いは、休日又は夜間においては上記滞留するスカムを除去し得ないという課題が生じる。これに対し、上記特許文献２に記載される技術によれば、スプレーノズルから圧力水を噴出することにより、スカムの滞留或いは、沈殿池側壁又は柱へのスカムの固着をある程度防止できる。  
しかしながら、特許文献２では、圧力水をスプレーノズルより噴出させるための圧力水ポンプ等の動力源が必要となると共に、複数配されるスプレーノズル及び当該スプレーノズルへ圧力水ポンプから圧力水を送水するための送水管の敷設が必要となる。そのため、設備の大型化或いは設備全体としての消費電力の増大を招く恐れがある。
【０００６】
そこで本発明は、専用の動力源を設けることなく、沈殿池の側壁と当該側壁より内側へ突出する柱との間及び／又はスカムスキマの両端部でのスカムの滞留を防止し得るスカム寄せ装置及びそれを有する汚泥掻寄機を提供することにある。
【課題を解決するための手段】
【０００７】
上記課題を解決するため、本発明のスカム寄せ装置は、少なくとも、沈殿池の水面付近に浮遊するスカムを排出するスカムスキマの上流側であって前記沈殿池の側壁より内側へと突出する柱の近傍及び／又は前記スカムスキマの両端部近傍に配される可倒式プレート又はフロートと、前記スカムスキマの動力を前記可倒式プレート又はフロートへ伝達する動力伝達部材と、を備え、前記側壁と前記柱の間及び／又は前記スカムスキマの両端部近傍に滞留するスカムを前記沈殿池の内側へと掻き寄せることを特徴とする。  
また、本発明のスカム寄せ装置を有する汚泥掻寄機は、沈殿池の底面に沈殿する汚泥を汚泥ピットへ掻き寄せる汚泥掻寄機であって、水面軌道を移動するスカムを、前記沈殿池外へと排出するスカムスキマと、少なくとも、前記スカムスキマの上流側であって前記沈殿池の側壁より内側へと突出する柱の近傍及び／又は前記スカムスキマの両端部近傍に配される可倒式プレート又はフロートと、前記スカムスキマの動力を前記可倒式プレート又はフロートへ伝達する動力伝達部材を有するスカム寄せ装置と、を備え、前記側壁と前記柱の間及び／又は前記スカムスキマの両端部近傍に滞留するスカムを前記沈殿池の内側へと掻き寄せることを特徴とする。
【発明の効果】
【０００８】
本発明によれば、専用の動力源を設けることなく、沈殿池の側壁と当該側壁より内側へ突出する柱との間及び／又はスカムスキマの両端部でのスカムの滞留を防止し得るスカム寄せ装置及びそれを有する汚泥掻寄機を提供することが可能となる。
【０００９】
上記した以外の課題、構成及び効果は、以下の実施形態の説明により明らかにされる。
【図面の簡単な説明】
【００１０】
【図１】汚泥掻寄機が設置される沈殿池の部分透過斜視図である。
【図２】汚泥掻寄機が設置される沈殿池の縦断面図である。
【図３】本発明の一実施例に係る実施例１のスカム寄せ装置を有する汚泥掻寄機が設置された沈殿池の上面図である。
【図４】図３に示すスカム寄せ装置の説明図であって、上面図及び側面図である。
【図５】図３に示す沈殿池の長手方向に直交する横断面図であって、一対の側壁に設置されたスカム寄せ装置の動作状態の説明図である。
【図６】図３に示すスカムスキマの駆動原理の説明図である。
【図７】図３に示すスカムスキマの横断面図であって、スカムスキマの動作状態の説明図である。
【図８】本発明の他の実施例に係る実施例２のスカム寄せ装置を有する汚泥掻寄機が設置された沈殿池の上面図である。
【図９】本発明の他の実施例に係る実施例３のスカム寄せ装置を有する汚泥掻寄機が設置された沈殿池の上面図である。
【図１０】本発明の他の実施例に係る実施例４のスカム寄せ装置有する汚泥掻寄機であって、沈殿池の一対の側壁に設置されたスカム寄せ装置の動作状態を示す横断面である。
【図１１】図１０のＡ−Ａ断面矢視図である。
【図１２】図１０に示すスカム寄せ装置の動作状態の説明図である。
【発明を実施するための形態】
【００１１】
本明細書において、汚泥掻寄機としてチェーンフライト方式の汚泥掻寄機、すなわち、二条平行に張架された無端チェーンを亘るように所定間隔にて取り付けられた複数のフライトを有し、これら複数のフライトが沈殿池内で周回駆動される汚泥掻寄機を、一例として説明するが、本発明の汚泥掻寄機はチェーンフライト方式の汚泥掻寄機に限られるものではない。  
例えば、汚泥掻寄機が、沈殿池の底面付近の長手方向に沿って平行に敷設されるガイドレール及び、当該ガイドレールに沿って往復運動する複数のフライト（スクレーパと称される場合もある）を有し、フライト（スクレーパ）が汚泥ピット側へ移動することにより、重力沈降により沈殿池の底面に沈殿する汚泥を汚泥ピットへ掻き寄せる構成としても良く、本発明における汚泥掻寄せ機は種々の態様を含む。
【００１２】
また、沈殿池の水面付近を浮遊するスカムを、スカムスキマへと掻き寄せる機構として、例えば、スキマーブレード、走行台車、走行台車の上面に設けられるクラッチ、走行台車の上方に設けられるスライトバー、及びスライドバーの走行台車に対向する側の面に所定の間隔にて離間し設けられた複数のコマを、少なくとも備える構成としても良い。この場合、スライドバーの移動に伴いコマが移動し、当該コマがクラッチに当接し、走行台車より垂下されるスキマーブレードにより、水面付近に浮遊するスキマをスカムスキマへ掻き寄せる。また、沈殿池内の上流側から下流側へと向かう水流により、沈殿池の水面付近を浮遊するスカムを、スカムスキマへ自然流下させる方式としても良い。なお、以下では一例として、チェーンフライト方式の汚泥掻寄機における戻りフライト（水面付近を移動するフライト）により、沈殿池の水面付近に浮遊するスキマをスカムスキマへ掻き寄せる場合を例に説明するが、上述のとおり、本発明におけるスカムをスカムスキマへ掻き寄せる機構は、如何なる態様をも含む。
【００１３】
以下、図面を用いて本発明の実施例について説明する。
【実施例１】
【００１４】
先ず、図１に汚泥掻寄機が設置される沈殿池の部分透過斜視図を示し、図２に汚泥掻寄機が設置される沈殿池の縦断面図を示す。図２に示すように、上水処理施設或いは下水処理施設に備えられる沈殿池８は、被処理水（原水）が流入する側の沈殿池上流壁８ａ、被処理水の流れに沿って下流側に設けられる沈殿池下流壁８ｂ、一対の沈殿池側壁８ｃ及び沈殿池の底面を有する。この沈殿池８内に配される汚泥掻寄機１は、所定の間隔で無端チェーン２に取り付けられた複数のフライト３、沈殿池８の水上部に設置された駆動装置５により回転駆動される駆動スプロケットホイール４ａ、駆動スプロケットホイール４ａの下流側に配置され水面近傍に設けられた従動スプロケットホイール４ｂ、従動スプロケットホイール４ｂの下流側であって沈殿池８の底面付近に設けられた従動スプロケットホイール４ｃ、及び沈殿池８の底面付近であって従動スプロケットホイール４ｃの上流側に設けられた従動スプロケットホイール４ｄを有する。複数のフライト３が所定間隔にて取り付けられた無端チェーン２が、これら、駆動スプロケットホイール４ａ及び従動スプロケットホイール４ｂ〜４ｄに二条平行に張架され、駆動装置５により周回駆動される。フライト３は、この二条平行に張架された無端チェーン２を亘るように所定間隔にて取り付けられた平板形状を有する。
【００１５】
そして、矢印Ｆ１にて示す方向（下流側から上流側へ向かう方向）に沿って無端チェーン２が移動する際、無端チェーン２に取り付けられたフライト３は、重力沈降により沈殿池８の底面に沈殿する汚泥を汚泥ピットＰ１側へ掻き寄せる。また、沈殿池８の水面近傍で矢印Ｆ２にて示す方向（上流側から下流側へ向かう方向）に無端チェーン２が移動する際、無端チェーン２に取り付けられたフライト３は、水面付近を浮遊するスカムをスカムスキマ６へ掻き寄せ排出する。また、水面近傍であってスカムスキマ６の下流側に越流トラフ７が設けられている。なお、従動スプロケットホイール４ｂを通過したフライト３は、沈殿池８の底面付近に配される従動スプロケットホイール４ｃへと無端チェーン２の移動と共に沈殿池８内を下降するため、スカムスキマ６と接触することは無い。以下、駆動スプロケットホイール４ａ及び従動スプロケットホイール４ｂ間をフライト３が移動する軌跡を、水面軌道と称する。
【００１６】
無端チェーン２は、例えば、ステンレス製または合成樹脂製のチェーンが用いられる。ここで、ノッチチェーンは、チェーンの側部の下方に凹部が形成されており、この凹部と駆動スプロケットホイール４aと連結ピン（図示せず）とが噛み合い、従動スプロケットホイール４ｂ〜４ｄ上を摺動し、ノッチチェーンが周回軌道を移動する。また、フライト３は、ステンレス製、合成木材製、または軽量化のためアルミ製あるいは合成樹脂製のもの等が用いられる。  
また、図２に示すように、沈殿池８には、スカムスキマ６の上流側であって、沈殿池側壁８ｃより内側へと突出する柱１７ａ、及びスカムスキマ６の下流側であって、沈殿池側壁８ｃより内側へと突出する柱１７ｂが設けられている。上述の通り、相互に沈殿池側壁８ｃ同士が隣接し配置される複数の沈殿池８のうち、仮に、一方の沈殿池８が空の状態にあり、隣接する他方の沈殿池８が被処理水で満たされた状況下では、上記空の沈殿池８の沈殿池側壁８ｃには多大な荷重が付加される。このような場合において、これらの柱１７ａ、１７ｂは、沈殿池８の躯体強度を維持するための補強部材として機能する。なお、図２では、補強部材としての柱１７ａ、１７ｂを沈殿池側壁８ｃに２本設ける構成を示すが、これに限られるものではない。例えば、沈殿池８の長手方向に沿って、スカムスキマ６の上流側に複数の柱１７ａを設ける構成としても良い。補強部材としての柱１７ａの本数は、沈殿池８の容積、沈殿池側壁８ｃの長手方向の長さ、及び沈殿池側壁８ｃの壁厚とに基づき、沈殿地８の躯体強度を考慮して適宜設定すれば良い。
【００１７】
図１に示すように、汚泥掻寄機１を構成する駆動スプロケットホイール４ａは、駆動装置５により回転力が伝達される駆動軸１１の両端部に設けられている。また、従動スプロケットホイール４ｂは中間軸１２の両端部に、従動スプロケットホイール４ｃはテール軸１３の両端部に、従動スプロケットホイール４ｄはヘッド軸１４の両端部にそれぞれ設けられている。汚泥掻寄機１は、水面軌道を移動するフライト３によりスカムスキマ６へ掻き寄せられたスカムを沈殿池８外の図示しないスカムピットへ移送するためのスカム排出ポンプ９を備える。
【００１８】
図３は、本発明の一実施例に係る実施例１のスカム寄せ装置を有する汚泥掻寄機が設置された沈殿池の上面図である。なお、説明の便宜上、越流トラフ７を省略している。図３に示すように、スカムスキマ６は沈殿池８の全幅に亘り、すなわち、一対の沈殿側壁８ｃ間を亘るよう沈殿池８の幅方向に延在している。また、スカムスキマ６は、水面軌道を移動するフライト３により掻き寄せられたスカムを内部に導入するための吸入口６ａを有する。また、水面軌道及び重力沈降により沈殿池８の底面に沈殿する汚泥を汚泥ピットＰ１側へ掻き寄せる周回軌道において、フライト３の池幅方向の両端部は、スカムスキマ６の上流側に設けられた柱１７ａ及びスカムスキマ６の下流側に設けられた柱１７ｂと干渉することはない。
【００１９】
また、図３に示すように、スカムスキマ６の上流側に設けられた柱１７ａと、柱１７ａの上流側であって当該柱１７ａに近接する沈殿池側壁８ｃの近傍に配される可倒式プレート１５、沈殿池側壁８ｃに直交するよう配される（沈殿池８の底面と平行）第１滑車１６ｂ、沈殿池側壁８ｃと平行となるよう配される（沈殿池８の底面に直交）第２滑車１６ｃ、及び一端が可倒式プレート１５に接続され他端が第１滑車１６ｂと第２滑車１６ｃを介してスカムスキマ６に接続される索状部材１６ａとを備える。第１滑車１６ｂ及び第２滑車１６ｃは、相互に直交し所定の距離だけ離間し配される。索状部材１６ａ、第１滑車１６ｂ及び第２滑車１６ｃにより動力伝達部材１６が構成される。また、この動力伝達部材１６及び可倒式プレート１５によりスカム寄せ装置１０が構成される。索状部材１６ａとして、例えば、ワイヤー或いはチェーンが用いられる。なお、動力伝達部材１６として、索状部材１６ａ、第１滑車１６ｂ及び第２滑車１６ｃからなる構成を例に以下説明するが、必ずしもこの構成に限られるものではない。例えば、複数のロッドとジョイントから構成されるリンク機構を用いて動力伝達部材１６を構成しても良い。すなわち、スカムスキマ６の回動による動力を、可倒式プレート１５へ伝達可能な構成であればいずれの構成を用いても良い。
【００２０】
図４は、図３に示すスカム寄せ装置の説明図であって、図４の上図に上面図を、下図に側面図を示している。図４の上面図及び側面図に示すように、矩形状の可倒式プレート１５の上端部は、初期状態において沈殿池側壁８ｃと当接状態にある。この状態から、側面図に白抜き矢印で示す方向にスカムスキマ６が回動（正転）すると、一端がスカムスキマ６に接続された索状部材１６ａに引っ張り張力が発生し、第２滑車１６ｃにより索状部材１６ａは沈殿池８内で下流側（図４に向かって左側から右側へと向かう方向）へと変位する。スカムスキマ６の正転により第２滑車１６ｃを介して下流側へと変位する索状部材１６ａは、第１滑車１６ｂを介して他端が可倒式プレート１５に接続されているため、回転軸１８を中心として、可倒式プレート１５は沈殿池８の内側へと向かい回動する。側面図においては図面に向かって手前方向へ、また上面図においては、白抜き矢印にて示すように下方へと可倒式プレート１５は回動する。上面図において、一点鎖線で示す位置まで可倒式プレート１５の上端部が変位する。このように可倒式プレート１５が、スカムスキマ６の正転に応じて沈殿池８内の内側へと向かい回動することにより、図３に示した柱１７ａの上流側であって当該柱１７ａに近接する沈殿池側壁８ｃの近傍の水面に滞留するスカムは、沈殿池８の内側へと掻き出される。掻き出されたスカムは水面軌道を移動するフライト３により、スカムスキマ６へ吸入口６ａを介して導入される。これにより、沈殿池側壁８ｃと当該側壁８ｃより内側へ突出する柱１７ａとの間でのスカムの滞留を防止することが可能となる。このように、スカム寄せ装置１０は、スカムスキマ６の回転に応じて動作するため、特に、スカム寄せ装置１０を駆動するための専用の動力源は不要である。  
なお、図４の側面図に示すように、スカム寄せ装置１０を構成する可倒式プレート１５の上端部は、初期状態において水面Ｗより所定の高さ上方に位置するよう配されることが望ましい。また、可倒式プレート１５の形状は、図４に示すように四角形状であることが、スカムを掻き出す上で表面積が大となることから望ましいが、必ずしも四角形状に限られるものではない。例えば、可倒式プレート１５は、表面が平坦なプレート状であれば、その輪郭は他の多角形状でも良く、また、扇形の輪郭形状であって、扇形の要部分を水平に切欠き、当該切欠き部の近傍に回転軸１８を有する形状であっても良い。
【００２１】
次に、スカム寄せ装置１０を構成する可倒式プレート１５の上述の回動動作及び初期状態への復帰動作につき説明する。図５は、図３に示す沈殿池８の長手方向に直交する横断面図であって、一対の沈殿池側壁８ｃに設置されたスカム寄せ装置１０の動作状態の説明図である。図５では、説明を分かり易くするため、スカム寄せ装置１０以外の構成、すなわち、沈殿池側壁８ｃより沈殿池内側へと突出する柱１７ａ、フライト３、及びスカムスキマ６等を省略している。  
図５に示すように、一対の沈殿池側壁８ｃに、それぞれ、上述の可倒式プレート１５及び動力伝達部材１６からなるスカム寄せ装置１０が配される。スカム寄せ装置１０は、更に、動力伝達部材１６とは反対側の可倒式プレート１５の面に一端が接続される索状部材１６ａに吊り下げられる錘１９を備える。図５に示すように、動力伝達部材１６を構成する第１滑車１６ｂ及び第２滑車１６ｃは相互に直交するよう配されている。白抜き矢印で示すように、上述のスカムスキマ６が正転すると、スカムスキマ６の回動による動力が、第１滑車１６ｂ及び第２滑車１６ｃを介して索状部材１６ａにより、可倒式プレート１５に伝達され、可倒式プレート１５は回転軸１８を回動中心として沈殿池８の内側へと回動する。その後、詳細後述するスカムスキマ６が正転状態から復帰状態へと移行すると、それまで索状部材１６ａに付加されていた沈殿池８内の下流側（スカムスキマ６へ向かう）方向への引っ張り張力は消失する。続いて、索状部材１６ａにより可倒式プレート１５に接続される錘１９が重力沈降することにより、索状部材１６ａには沈殿池８内の上流側及び沈殿池側壁８ｃへと向かう方向に引っ張り張力が付加される。これにより、可倒式プレート１５は、回転軸１８を回動中心として、上端部が沈殿池側壁８ｃに当接するまで回動する。（図５中黒矢印で示す復帰状態）  
このように、スカム寄せ装置１０を構成する可倒式プレート１５が、スカムスキマ６の回動状態に応じて、正転及び復帰を繰り返すことにより、所定の周期で、図３に示した柱１７ａの上流側であって当該柱１７ａに近接する沈殿池側壁８ｃの近傍の水面に滞留するスカムを掻き出す。なお、スカム寄せ装置１０の正転は、スカムスキマ６の回動による動力により行われ、また、スカム寄せ装置１０の復帰は、スカム寄せ装置１０を構成する錘１９により行われるため、スカム寄せ装置１０を駆動するため特別に動力源を設ける必要がなく、省エネ効果が図られると共に、設備の大型化を防ぐことも可能となる。
【００２２】
次に、スカムスキマ６の駆動について説明する。図６に、図３に示すスカムスキマの駆動原理の説明図を示し、図７に、図３に示すスカムスキマの横断面図であって、スカムスキマの動作状態の説明図を示す。図６に示すように、本実施例の汚泥掻寄機１は、沈殿池８の底面付近を矢印Ｆ１に示す方向（下流側から上流側へ向う方向）へ汚泥を掻き寄せながらフライト３を移動させる無端チェーン２の上方であって、沈殿池８の池幅方向に延在するよう配される反転用パイプ軸２２、反転用パイプ軸２２に一端が接続され他端が反転用パイプ軸２２よりも下方に位置する駆動レバー２１、反転用パイプ軸２２の回動による動力をスカムスキマ６へ伝達する連結ロッド２３を備える。また、沈殿池８の底面を移動するフライト３には、無端チェーン２よりも池幅方向内側にストライカ２０が取り付けられている。同様に上記駆動レバー２１も無端チェーン２よりも池幅方向内側に位置する。これら駆動レバー２１及びストライカ２０は、ストライカ２０が取り付けられたフライト３が反転用パイプ軸２２の下方を通過する際、ストライカ２０が駆動レバー２１に当接しフライト３の移動方向へ駆動レバー２１を押し込むことが可能な配置関係にある。  
図６に示すように、ストライカ２０が取り付けられたフライト３が白抜き矢印に示すＦ１方向（沈殿池８の下流側から上流側へと向かう方向）に移動し、反転用パイプ軸２２の直下に位置すると、ストライカ２０は駆動レバー２１に当接する。その後、更に、フライト３が沈殿池８の上流側へと移動することにより、駆動レバー２１は白抜き矢印に示す方向に押し込まれる。このとき、駆動レバー２１の一端が接続される反転用パイプ軸２２は、白抜き矢印に示す方向（図６では時計回り）に回転し、その回転力は連結ロッド２３を介してスカムスキマ６へ伝達される。スカムスキマ６は、白抜き矢印にて示す方向（反時計回りに）に回動（正転）し、図７の右図に示す状態となる。図７の右図に示すように、スカムスキマ６に設けられた吸入口６ａの一部が水面Ｗの下方に位置することにより、図２に示した水面軌道を移動するフライト３により掻き寄せられたスカムは、被処理水と共にスカムスキマ６内に流入する。スカムスキマ６内に流入したスカムは、図１に示したスカム排出ポンプ９により汲み出され、図示しないスカムピットへと移送される。すなわち、図７の右図に示す状態は、スカムスキマ６が正転することによりスカムスキマ６が作動した状態を示している。
【００２３】
一方、フライト３に取り付けられたストライカ２０が、更に、フライト３が上流側へと移動することにより駆動レバー２１から離脱すると、図６に示すように、スカムスキマ６は黒矢印にて示す方向（時計回り）に回動する。スカムスキマ６の回動による動力は、連結ロッド２３を介して反転用パイプ軸２２に伝達され、反転用パイプ軸２２は黒矢印にて示す方向（時計回り）に回転する。反転用パイプ軸２２の時計回りの回転により駆動レバー２1は、ストライカ２０に当接する前の状態に復帰する。このときの状態が図７の左図に示す状態である。図７の左図に示すように、スカムスキマ６の復帰時においては、スカムスキマ６に設けられた吸入口６ａの全ての領域が水面Ｗより上方に位置し、スカムスキマ６内にスカムが流入することはない。すなわち、スカムスキマ６は休止状態となる。  
上述のように、スカムスキマ６を回動（作動）させるために、特別に動力源を設ける必要がなく、図２に示した無端チェーン２を周回駆動するための駆動装置５のみにより、スカムスキマ６及びスカム寄せ装置１０が駆動される。従って、設備の大型化を防止することが可能となる。
【００２４】
なお、本実施例では、図６に示すように、フライト３を移動させる無端チェーン２の周回駆動力を、駆動レバー２1、反転用パイプ軸２２及び連結ロッド２３よりなるリンク機構にて、スカムスキマ６へ伝達する構成としたが、これに限られるものではない。例えば、独立に設けられた動力源により、スカムスキマ６を回動する構成としても良い。この場合においても、スカム寄せ装置１０は、スカムスキマ６の回動による動力が伝達され駆動されるため、スカム寄せ装置１０を駆動するために特別に動力源を設ける必要はない。
【００２５】
以上の通り、本実施例によれば、専用の動力源を設けることなく、沈殿池側壁と当該側壁より内側へ突出する柱との間にスカムが滞留することを防止できる。  
また、スカム寄せ装置１０の駆動を、スカムスキマ６の回動による動力を伝達することで、実現可能となり省エネ化を図ることも可能となる。
【実施例２】
【００２６】
図８は、本発明の他の実施例に係る実施例２のスカム寄せ装置を有する汚泥掻寄機が設置された沈殿池の上面図である。実施例１では、スカムスキマ６の上流側に設けられた柱１７ａと当該柱１７ａに近接する沈殿池側壁８ｃの近傍にスカム寄せ装置１０を配する構成とした。これに対し、本実施例では、スカムスキマ６の上流側に設けられた柱１７ａの下流側であって、スカムスキマ６の上流側の近傍にスカム寄せ装置１０を配する構成とした点が異なる。その他の構成は、実施例１と同様であるため、以下では重複する説明を省略する。なお、図８においても説明の便宜上、越流トラフ７を省略しており、実施例１と同様の構成要素に同一の符号を付している。
【００２７】
図８に示すように、本実施例の汚泥掻寄機１は、柱１７ａの下流側であってスカムスキマ６の上流側に近接する沈殿池側壁８ｃの近傍に配される可倒式プレート１５及び動力伝達部材１６からなるスカム寄せ装置１０を備える。図８に示すスカム寄せ装置１０の構成及び動作については、実施例１と同様であるためここでは説明を省略する。  
図８に示すように、スカムスキマ６は、沈殿池８の全幅に亘るよう配され、その両端部がそれぞれ沈殿池側壁８ｃの壁面に回動可能に支持されている。そのため、スカムスキマ６の長手方向に沿って延在するよう設けられる吸入口６ａは、スカムスキマ６を回動可能に支持する沈殿池側壁８ｃの壁面まで延在させることはできない。よって、スカムスキマ６のうち吸入口６ａが形成されていない端部と沈殿池側壁８ｃとの間では、沈殿池８の水面近傍を浮遊するスカムは、スカムスキマ６に設けられた吸入口６ａに導入されることなく滞留し、時間の経過と共に腐敗が進行し悪臭を発生する要因となり得る。
【００２８】
本実施例では、スカムスキマ６の上流側近傍に配されるスカム寄せ装置１０を構成する可倒式プレート１５により、スカムスキマ６のうち吸入口６ａが形成されていない端部と沈殿池側壁８ｃとの間に滞留するスカムは、沈殿池８の内側へと掻き出され、スカムスキマ６の吸入口６ａに導入され、図示しないスカムピットへ排出される。これにより、スカムスキマ６のうち吸入口６ａが形成されていない端部と沈殿池側壁８ｃとの間にスカムが滞留することを防止できる。  
なお、本実施例と上述の実施例１とを組み合わせる構成、すなわち、スカムスキマ６の上流側に設けられた柱１７ａと当該柱１７ａに近接する沈殿池側壁８ｃの近傍及び、柱１７ａの下流側であってスカムスキマ６の上流側に近接する沈殿池側壁８ｃの近傍に、それぞれ上述のスカム寄せ装置１０を配する構成としても良い。このようにスカム寄せ装置１０を配すれば、専用の動力源を設けることなく、沈殿池の側壁と当該側壁より内側へ突出する柱との間及びスカムスキマの両端部でのスカムの滞留を防止することが可能となる。
【００２９】
本実施例によれば、専用の動力源を設けることなく、スカムスキマ両端部にスカムが滞留することを防止できる。  
また、スカム寄せ装置１０の駆動を、スカムスキマ６の回動による動力を伝達することで、実現可能となり省エネ化を図ることも可能となる。
【実施例３】
【００３０】
図９は、本発明の他の実施例に係る実施例８のスカム寄せ装置を有する汚泥掻寄機が設置された沈殿池の上面図である。実施例１では、スカムスキマ６の上流側に設けられた柱１７ａと当該柱１７ａに近接する沈殿池側壁８ｃの近傍にスカム寄せ装置１０を配する構成とした。これに対し、本実施例では、更に、スカムスキマ６の下流側に設けられた柱１７ｂと当該柱１７ｂに近接する沈殿池側壁８ｃの近傍にもスカム寄せ装置１０を配する構成とした点が異なる。その他の構成は、実施例１と同様であるため、以下では重複する説明を省略する。なお、図９においても説明の便宜上、越流トラフ７を省略しており、実施例１と同様の構成要素に同一の符号を付している。
【００３１】
図９に示すように、本実施例の汚泥掻寄機１は、スカムスキマ６の上流側に設けられた柱１７ａと、柱１７ａの上流側であって当該柱１７ａに近接する沈殿池側壁８ｃの近傍に配される可倒式プレート１５及び動力伝達部材１６からなるスカム寄せ装置１０（以下、上流側スカム寄せ装置１０と称する）を備えると共に、スカムスキマ６の下流側に設けられた柱１７ｂと、柱１７ｂの上流側であって当該柱１７ｂに近接する沈殿池側壁８ｃの近傍に配される可倒式プレート１５及び動力伝達部材１６からなるスカム寄せ装置１０（以下、下流側スカム寄せ装置１０と称する）を更に備える。上流側スカム寄せ装置１０の構成及び動作については、実施例１と同様であるためここでは説明を省略する。  
下流側スカム寄せ装置１０は、動力伝達部材１６を構成する、相互に離間し直交配置される第１滑車１６ｂ及び第２滑車１６ｃ、並びに一端が可倒式プレート１５に接続され第１滑車１６ｂと第２滑車１６ｃを介して他端がスカムスキマ６に接続される索状部材１６ａを有する。下流側スカム寄せ装置１０も、スカムスキマ６の正転及び復帰の回動に応じて、沈殿池側壁８ｃより沈殿池８の内側へと回動（正転）及び可倒式プレート１５の上端部が沈殿池側壁８ｃに当接する（復帰）。なお、上流側スカム寄せ装置１０を構成する可倒式プレート１５と、下流側スカム寄せ装置１０を構成する可倒式プレート１５が同一のタイミングにて正転及び復帰を繰り返す構成としても良く、逆に、上流側スカム寄せ装置１０を構成する可倒式プレート１５が正転状態のとき、下流側スカム寄せ装置１０を構成する可倒式プレート１５が復帰状態となり、上流側スカム寄せ装置１０を構成する可倒式プレート１５が復帰状態のとき、下流側スカム寄せ装置１０を構成する可倒式プレート１５が正転状態となるよう構成しても良い。
【００３２】
沈殿池８の水面Ｗを浮遊するスカム及びスカムスキマ６の上流側に設けられた柱１７ａ付近に滞留するスカムは上流側スカム寄せ装置１０により沈殿池８の内側に掻き出され、スカムスキマ６に流入し、スカム排出ポンプ９により沈殿池８外へと移送される。しかし、スカムスキマ６の上流側にて発生するスカムに比べ、スカムスキマ６の下流側にて発生するスカムは少量であるものの、越流トラフ７を介して被処理水と共に沈殿池８外へと流出することなく柱１７ｂと沈殿池側壁８ｃとの間にスカムが滞留すると、時間の経過と共に腐敗が進行し悪臭を発生する要因となり得る。本実施例では、下流側スカム寄せ装置１０を構成する可倒式プレート１５により掻き出され、越流トラフ７を介して被処理水と共に沈殿池８外へと流出するため、柱１７ｂと沈殿池側壁８ｃとの間にスカムが滞留することを防止できる。
【００３３】
本実施例によれば、実施例１の効果に加え、更に、仮にスカムスキマの下流側にてスカムが発生した場合であっても、スカムスキマの下流側の沈殿池側壁と当該側壁より内側へ突出する柱との間にスカムが滞留することを防止できる。  
なお、本実施例の構成に、上述の実施例２の構成を組み合わせても良い。
【実施例４】
【００３４】
図１０は、本発明の他の実施例に係る実施例４のスカム寄せ装置有する汚泥掻寄機であって、沈殿池の一対の側壁に設置されたスカム寄せ装置の動作状態を示す横断面である。実施例１〜実施例３では、スカム寄せ装置を可倒式プレート及び動力伝達部材にて構成したのに対し、本実施例では、スカム寄せ装置をフロート及びフロートの移動をガイドするフロートガイド並びに動力伝達部材にて構成した点が異なる。その他の構成は、上述の実施例１と同様であるため、以下では重複する説明を省略する。なお、図１０では、説明を分かり易くするため、スカムスキマ６及びスカム寄せ装置１０’以外の構成、すなわち、沈殿池側壁８ｃより沈殿池内側へと突出する柱１７ａ，１７ｂ、及びフライト３等を省略している。
【００３５】
図１０に示すように、本実施例のスカム寄せ装置１０’は、一対の沈殿池側壁８ｃに配される。スカム寄せ装置１０’の詳細構成は後述するが、図１０に示す状態は、スカムスキマ６が正転しスカムスキマ６に設けられた吸入口６ａの一部が水面Ｗの下方に位置し、図２に示した水面起動を移動するフライト３により掻き寄せられたスカムが、吸入口６ａを介してスカムスキマ６内に流入する、スカムスキマ６の作動状態を示している。スカム寄せ装置１０’は、少なくとも、一端がスカムスキマ６に接続されるアーム３３、フロート３１、及びフロートの鉛直方向（沈殿池８の底面に直交する方向）への移動をガイドするフロートガイド３２を備える。図１０に示す状態では、スカムスキマ６の正転動作に応じてスカム寄せ装置１０’を構成するフロート３１が沈降した状態を示している。
【００３６】
図１１は図１０のＡ−Ａ断面矢視図であり、図１２は、図１０に示すスカム寄せ装置１０’の動作状態の説明図である。図１１において、右側が沈殿池８の上流側であり、左側が沈殿池８の下流側である。図１１に示すように、スカム寄せ装置１０’を構成する動力伝達部材１６’は、一端がスカムスキマ６に接続されるアーム３３、及び一端がアーム３３の他端（先端部の近傍）に接続され他端がフロート３１に接続される索状部材１６ａ’を備える。また、スカム寄せ装置１０’は、索状部材１６ａ’の一端が接続されるフロート３１、及びフロート３１の鉛直方向（沈殿池８の底面に直交する方向）への移動をガイドするフロートガイド３２を備える。フロートガイド３２は、平面視矩形状をなし、その内側に開口部を有する。また、フロートガイド３２は、上記開口部の下面から上面へと延伸する相互に平行な２本のロッドを備え、当該ロッドはフロート３１を貫通する。これにより、フロート３１は、フロートガイド３２の開口部に設けられた２本のロッドに沿って、鉛直方向に上下動可能に構成されている。なお、ロッドの本数は２本に限らず、所望の本数とすれば良い。索状部材１６ａ’として、例えば、ワイヤー或いはチェーンが用いられる。
【００３７】
また、図１１に示すように、沈殿池８の水上部にスカムスキマ６を回動するためのスカムスキマ駆動装置３４が設置されている。スカムスキマ６が初期状態或は復帰時（スカムスキマ休止（停止）状態）では、スカム寄せ装置１０’の動力伝達部材１６’を構成するアーム３３及び索状部材１６ａ’は実線で示す位置にあり、また、フロート３１は実線で示すように、一部下面近傍が沈殿池８内の被処理水に浸漬するものの、その大半が水面Ｗより上方へ位置する。一方、スカムスキマ６が作動状態、すなわち、正転時においては、スカム寄せ装置１０’の動力伝達部材１６’を構成するアーム３３及び索状部材１６ａ’は二点鎖線で示す位置にあり、また、フロート３１は二点鎖線で示すように、一部上面が沈殿池８内の水面Ｗより上方へ位置するものの、その大半が水面Ｗより下方へ位置する。
【００３８】
次に、図１２を用いてスカム寄せ装置１０’の動作状態について説明する。図１２では、スキマ寄せ装置１０’の動力伝達部材１６’を構成するアーム３３を省略している。また、フロートガイド３２についても説明の便宜上、簡略化して示している。スカムスキマ６が、図１１にて白抜き矢印にて示すように正転（回動）すると、図１２の右図に示すように、図示しない一端がスカムスキマ６に接続されたアーム３３を介して、索状部材１６ａ’に引っ張り張力（図１２中、矢印で示す方向）が発生する。この引っ張り張力が付与された索状部材１６ａ’により、フロート３１はフロートガイド３２に設けられた２本のロッドに沿って沈降する。フロート３１は、図１２に示すように立体形状を有するため、沈降時に沈殿池８内の水面Ｗに、沈殿池８の内側へと向かう波紋或は波を発生する。これにより、スカムスキマ６の両端部と沈殿池側壁８ｃとの間に滞留するスカムは、スカムスキマ６の吸入口６ａ側へと掻き出され、スカムスキマ６の吸入口６ａに導入され、図示しないスカムピットへ排出される。一方、スカムスキマ６が、図１１にて黒矢印にて示すように復帰すると、図１２の左図に示すように、これまで索状部材１６ａ’に付与されていた引っ張り張力は消失し、索状部材１６ａ’が開放されることでフロート３１は、フロートガイド３２に設けられた２本のロッドに沿って浮上する（スキマ休止（停止）状態）。このように、スカム寄せ装置１０’がスカムスキマ６より伝達される動力により、フロート３１が上下動することにより、スカムスキマ６の両端部近傍に滞留するスキマは、スカムスキマ６の吸入口６ａへと掻き寄せられる。  
なお、本実施例のスカム寄せ装置１０’を、上述の実施例１又は実施例３と同様の位置に配しても良い。
【００３９】
以上の通り、本実施例によれば、専用の動力源を設けることなく、沈殿池の側壁と当該側壁より内側へ突出する柱との間及び／又はスカムスキマの両端部でのスカムの滞留を防止することが可能となる。  
また、スカム寄せ装置１０’の駆動を、スカムスキマ６の回動による動力を伝達することで、実現可能となり省エネ化を図ることも可能となる。
【００４０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００４１】
１・・・汚泥掻寄機
２・・・無端チェーン
３・・・フライト
４ａ・・・駆動スプロケットホイール
４ｂ，４ｃ，４ｄ・・・従動スプロケットホイール
５・・・駆動装置
６・・・スカムスキマ
６ａ・・・吸入口
７・・・越流トラフ
８・・・沈殿池
８ａ・・・沈殿池上流壁
８ｂ・・・沈殿池下流壁
８ｃ・・・沈殿池側壁
９・・・スカム排出ポンプ
１０，１０’・・・スカム寄せ装置
１１・・・駆動軸
１２・・・中間軸
１３・・・テール軸
１４・・・ヘッド軸
１５・・・可倒式プレート
１６，１６’・・・動力伝達部材
１６ａ，１６ａ’・・・索状部材
１６ｂ・・・第１滑車
１６ｃ・・・第２滑車
１７ａ，１７ｂ・・・柱
１８・・・回転軸
１９・・・錘
２０・・・ストライカ
２１・・・駆動レバー
２２・・・反転用パイプ軸
２３・・・連結ロッド
３１・・・フロート
３２・・・フロートガイド
３３・・・アーム
３４・・・スカムスキマ駆動装置
【図１】
2017077507.tif 000003
【図２】
2017077507.tif 000004
【図３】
2017077507.tif 000005
【図４】
2017077507.tif 000006
【図５】
2017077507.tif 000007
【図６】
2017077507.tif 000008
【図７】
2017077507.tif 000009
【図８】
2017077507.tif 000010
【図９】
2017077507.tif 000011
【図１０】
2017077507.tif 000012
【図１１】
2017077507.tif 000013
【図１２】
2017077507.tif 000014